(57)【特許請求の範囲】
【請求項１】
燃焼排気から顕熱を吸収する顕熱熱交換器を備えた一次熱交換室の排気下流位置に、燃焼排気から潜熱を吸収する潜熱熱交換器を備えた二次熱交換室を配設する潜熱回収式熱源機において、
上記二次熱交換室は、
箱体に形成され、その前板に燃焼排気を器具外へ排出する排気口が開設されたケーシングと、
上記ケーシング内の上部域に取り付けられた排気案内板および上記ケーシング内の下部域に取り付けられたドレン案内板により上記潜熱熱交換器の上下を囲うとともに、上記ドレン案内板の後部に上記一次熱交換室からの燃焼排気を流入させる排気入口が開設され、上記排気案内板と上記ドレン案内板の前部側の端部間の開口により燃焼排気を排出させる排気出口が形成された熱交換室と、
上記排気出口から上記排気口に至るように上り勾配に傾斜配置された排気整流用上板および排気整流用下板により上下壁が形成され、上記熱交換室内の燃焼排気が上記排気出口から上記排気口に流れる主排気通路を形成する排気ダクトとを備え、
上記熱交換室を形成する排気案内板にはバイパス入口孔が設けられるともに、上記排気ダクトを形成する排気整流用上板にはバイパス出口孔が設けられ、上記熱交換室内の燃焼排気が上記バイパス入口孔から熱交換室とケーシングとの間の空間を通って上記バイパス出口孔から上記排気ダクト内に流れる副排気通路が形成され、
上記バイパス出口孔の前方における上記排気ダクト内部又は上記排気ダクト外部には、上記バイパス出口孔が上記排気口から隠れる大きさのカバー部分が、立ちはだかるように形成されている潜熱回収式熱源機。
【請求項２】
請求項１に記載の潜熱回収式熱源機において、
上記排気ダクトの出口寸法に対して上記排気口寸法が小さく形成されており、
上記バイパス出口孔は、上記排気整流用上板において上記排気出口から上記排気口に至るように上り勾配に傾斜された傾斜板部の前端両角部を切り欠いて左右にそれぞれ形成され、且つ左右のバイパス出口孔は、上記排気ダクト外部に形成する上記カバー部分となる上記排気口の左右両側の前板部分に隠れる大きさの寸法に設定されている潜熱回収式熱源機。
【請求項３】
請求項１又は２に記載の潜熱回収式熱源機において、
上記バイパス入口孔は、上記熱交換室内の排気下流側に配置されている潜熱回収式熱源機。
【発明の詳細な説明】
【技術分野】
【０００１】
本発明は、騒音対策を講じた潜熱回収式熱源機に関する。
【背景技術】
【０００２】
従来、給湯器は、ガスバーナの燃焼音、給気ファンの駆動音、排気ガスの排気音等が排気口を通じて外部に漏れ出して騒音となる不都合があった。そのため、給湯器には各種の騒音対策が講じられている（特許文献１、特許文献２、特許文献３等）。例えば、図６に示す給湯器によれば、熱交換器６０２の排気出口６０３から器具の排気口６０４に至る排気通路を屈曲させたダクト整流板６０６を設け、このダクト整流板６０６の下方整流部６１２と上方整流部６１３との間に吸音材６１６を設け、この吸音材６１６によって音を吸収し騒音を低減させるようにしている（特許文献１）。また、図７に示す給湯器によれば、熱交換器７０１の排気出口から器具の排気口７０３に至る排気通路を通路長さの異なる前側排気通路７０４と後側排気通路７０５に２分割するとともに排気口７０３の手前の合流部７０７で合流させる構成とし、各排気通路７０４，７０５によって騒音の波長に位相差をもたせ、合流部７０７で互いに干渉させることにより燃焼音を打ち消し合わせて騒音を低減させるようにしている（特許文献２、特許文献３）。
【特許文献１】特開２０００−２２７２１３号公報
【特許文献２】実公平８−１０７４２号公報
【特許文献３】実開平２−１４４３６６号公報
【発明の開示】
【発明が解決しようとする課題】
【０００３】
ところで、給湯器（熱源機）として、燃焼排気中の水蒸気から潜熱を回収する潜熱回収式の給湯器がある。この潜熱回収式給湯器は、顕熱熱交換器の排気下流位置に、燃焼排気から潜熱を吸収する潜熱熱交換器を備え、これまで約８０％程度が限界であった熱効率を約９５％まで向上させることを可能とするものである。
【０００４】
上述の図６、図７に示す各従来例は、いずれも潜熱熱交換器を備えていない給湯器であるが、潜熱回収式給湯器においても上記同様の騒音対策を講じることが考えられる。ところが、潜熱回収式給湯器の場合は、潜熱熱交換器上で強酸性のドレンが常時発生するため、排気通路に吸音材を設けると、吸音材にドレンが付着して吸音率を低下させたり、吸音材が腐食し耐久性を低下させるおそれがある。一方、排気通路を２分割して副排気通路を設けると、排気流によって巻き込まれるドレンが副排気通路を通って器具外へ飛散する不具合を起こすおそれがある。
【０００５】
本発明は、上記事情に鑑みてなされたものであり、排気口からドレンを飛散させることなく外部に漏れる騒音を抑えるようにする潜熱回収式熱源機を提供することを課題とする。
【課題を解決するための手段】
【０００６】
本発明に係る潜熱回収式熱源機は、
燃焼排気から顕熱を吸収する顕熱熱交換器を備えた一次熱交換室の排気下流位置に、燃焼排気から潜熱を吸収する潜熱熱交換器を備えた二次熱交換室を配設する潜熱回収式熱源機において、
上記二次熱交換室は、
箱体に形成され、その前板に燃焼排気を器具外へ排出する排気口が開設されたケーシングと、
上記ケーシング内の上部域に取り付けられた排気案内板および上記ケーシング内の下部域に取り付けられたドレン案内板により上記潜熱熱交換器の上下を囲うとともに、上記ドレン案内板の後部に上記一次熱交換室からの燃焼排気を流入させる排気入口が開設され、上記排気案内板と上記ドレン案内板の前部側の端部間の開口により燃焼排気を排出させる排気出口が形成された熱交換室と、
上記排気出口から上記排気口に至るように上り勾配に傾斜配置された排気整流用上板および排気整流用下板により上下壁が形成され、上記熱交換室内の燃焼排気が上記排気出口から上記排気口に流れる主排気通路を形成する排気ダクトとを備え、
上記熱交換室を形成する排気案内板にはバイパス入口孔が設けられるともに、上記排気ダクトを形成する排気整流用上板にはバイパス出口孔が設けられ、上記熱交換室内の燃焼排気が上記バイパス入口孔から熱交換室とケーシングとの間の空間を通って上記バイパス出口孔から上記排気ダクト内に流れる副排気通路が形成され、
上記バイパス出口孔の前方における上記排気ダクト内部又は上記排気ダクト外部には、上記バイパス出口孔が上記排気口から隠れる大きさのカバー部分が、立ちはだかるように形成されている。
【０００７】
上記構成より、二次熱交換室には、燃焼排気の排気通路を主排気通路と副排気通路の２つの通路を設け、これら主排気通路と副排気通路を排気ダクトで合流させる構成とし、これにより、主排気通路と副排気通路にそれぞれ分かれて伝わって来た騒音をバイパス出口孔を設けた排気ダクトの排気合流部で互いに干渉させて打ち消し合わせることができる。従って、バーナ燃焼音、排気音等の音を打ち消し合わせて排気口から器具外に漏れる騒音を低減することができる。
しかも、上記バイパス出口孔の上記排気ダクト内の前方には、上記排気口から隠れる大きさのカバー部分が立ちはだかるように形成されているので、バイパス出口孔から排気ダクト内に流出される燃焼排気中にドレンが巻き込まれていても、そのドレンは、上記カバー部分に当って落下されて排気口から器具外へ飛散されることを防ぐことができる。
【０００８】
上記排気ダクトの出口寸法に対して上記排気口寸法が小さく形成されており、
上記バイパス出口孔は、上記排気整流用上板において上記排気出口から上記排気口に至るように上り勾配に傾斜された傾斜板部の前端両角部を切り欠いて左右にそれぞれ形成され、且つ左右のバイパス出口孔は、上記排気ダクト外部に形成する上記カバー部分となる上記排気口の左右両側の前板部分に隠れる大きさの寸法に設定されているように構成してもよい。
これにより、上記排気ダクトの出口寸法に対して上記排気口寸法が小さく形成されているので、器具外に騒音が漏れることを一層抑えることができる。しかも、上記排気口の左右両側の前板部分が上記バイパス出口孔の前方に立ちはだかるカバー部分となるので、この前板部分によってバイパス出口孔から排気ダクト内に流出される燃焼排気中に巻き込んでいるドレンが上記排気口から器具外へ飛散されることを防ぐことができる。
【０００９】
上記バイパス入口孔は、上記熱交換室内の排気下流側に配置されていることが好ましい。
これにより、潜熱熱交換器で熱交換せずに上記バイパス入口孔から流出する燃焼排気の割合を少なくすることができ、熱効率を低下させることもない。
【発明の効果】
【００１０】
以上のように、本発明によれば、潜熱回収式熱源機として、排気口からドレンを飛散させることなく外部に漏れる騒音を低減することができる。
【発明を実施するための最良の形態】
【００１１】
以下に、本発明の実施形態を説明する。
図１の全体構成図に示すように、潜熱回収式の給湯器（熱源機）１は、外装ケース１０内に、燃焼室３、一次熱交換室４、二次熱交換室５が設けられている。
【００１２】
燃焼室３は、上方を開放する矩形状のバーナ箱３０と、バーナ箱３０内に配設されたガスバーナ３１とを備えている。また、バーナ箱３０の底板には、ガスバーナ３１に燃焼用空気を供給する給気ファン２が接続されている。
【００１３】
一次熱交換室４は、上方及び下方を開放する角筒状の胴枠４０と、胴枠４０内に配設された顕熱熱交換器４１とを備えている。胴枠４０は、下端部がバーナ箱３０の上端部に連設されている。顕熱熱交換器４１は、多数のフィンが並設された第一吸熱フィン群４２と、第一吸熱フィン群４２を蛇行状に貫通する第一吸熱管４３とにより構成されている。第一吸熱管４３は、銅製パイプ等により形成されている。
【００１４】
二次熱交換室５は、下方を開放する矩形状のケーシング５０と、ケーシング５０内に配設された潜熱熱交換器５１とを備えている。ケーシング５０は、下端部が胴枠４０の上端部に連設されている。潜熱熱交換器５１は、ケーシング５０内に蛇行状に配設する第二吸熱管５２により構成されている。第二吸熱管５２は、耐酸性のあるチタン製パイプ、ステンレス製パイプ等により形成されている。また、二次熱交換室５の底部には、ドレン受け部１１が設けられており、このドレン受け部１１には、ドレン中和装置１３に接続されたドレン排出管１２が接続されている。
【００１５】
上記第二吸熱管５２は、その上流端には水道管や温水暖房機の戻り管等の冷水を導く給水管（図示せず）が接続され、下流端には上記第一吸熱管４３の上流端が接続されている。そして、上記第一吸熱管４３の下流端には、浴室、台所のカラン、温水暖房機等に温水を導く出湯管（図示せず）が接続されている。
【００１６】
次に、二次熱交換室５の構成を詳細に説明する。
図２〜図４に示すように、ケーシング５０は、前板５０１、後板５０２、左側板５０３、右側板５０４及び天井板５０５を有し、下方に開放した矩形状の箱体に形成されている。前板５０１の略中央部には、横長矩形状の排気口５３が設けられている。この排気口５３には、排気トップ５４が取り付けられている（図２参照）。また、ケーシング５０内は、上部域に排気案内板６１が取り付けられ、下部域にドレン案内板６２が取り付けられている。従って、これら、排気案内板６１、ドレン案内板６２、ケーシング５０の左側板５０３及び右側板５０４により囲まれた内部が熱交換室６０となっている。そして、この熱交換室６０内に潜熱熱交換器５１が配設されている（図２参照）。
【００１７】
上記排気案内板６１は、後部がケーシング５０の天井板５０５に溶接等により接続され、排気口５３がある前板５０１に向かって下り勾配に傾斜配置されている。そして、排気案内板６１の中間部６１０の前端に連設する前部６１１は、下方に屈曲形成されている。また、この排気案内板６１の左右端は、それぞれケーシング５０の左側板５０３及び右側板５０４に密着されている。一方、上記ドレン案内板６２は、後端がケーシング５０の後板５０２に溶接等により接続され、排気口５３がある前板５０１に向かって下り勾配に傾斜配置されている。このドレン案内板６２の左右端も、それぞれケーシング５０の左側板５０３及び右側板５０４に密着されている。
【００１８】
そして、ドレン案内板６２の後部には、一次熱交換室４から燃焼排気を熱交換室６０内に導入する横長の排気入口６３が形成されており、また、排気案内板６１の前部６１１の下端とドレン案内板６２の前端との間の開口により燃焼排気を熱交換室６０内から排出させる排気出口６４が形成されている。この排気出口６４は、対向する前板５０１に開設された排気口５３よりも低い位置に配置されている。そして、排気出口６４と排気口５３との間には、排気整流用上板７と排気整流用下板８とが配設されている。排気整流用下板８の下部には、漏斗状のドレン受け部１１が配設されている。
【００１９】
上記排気整流用上板７は、排気案内板６１の前部６１１の下端から排気口５３に至るように上り勾配に傾斜した傾斜板部７１と、傾斜板部７１の前端から上方に立設して前板５０１の裏面に溶接等により取り付けられた取付板部７２と、傾斜板部７１の後端に連設されて上方に向かって屈曲形成された樋部７３とにより構成されている。一方、上記排気整流用下板８は、ドレン案内板６２の前端に溶接等により取り付けられてドレン受け部１１まで延設するように下り勾配に傾斜した第一傾斜板部８２と、第一傾斜板部８２の前端から排気口５３の下辺に至るように上り勾配に傾斜した第二傾斜板部８１とにより構成されている。従って、これら、排気整流用上板７、排気整流用下板８、ケーシング５０の左側板５０３及び右側板５０４により、熱交換室６０の排気出口６４からケーシング５０の排気口５３までを連通する排気ダクト９が形成される。これにより、熱交換室６０内の燃焼排気が排気出口６４を通過して排気ダクト９内に流れ込むようになっており、この通路が主排気通路Ｒ１となっている。
【００２０】
一方、熱交換室６０を構成する排気案内板６１には、熱交換室６０内の燃焼排気を熱交換室６０とケーシング５０との間の空間Ａに導入するバイパス入口孔６５が形成され、また、排気ダクト９を構成する排気整流用上板７には、上記の空間Ａから燃焼排気を排気ダクト９内に排出するバイパス出口孔７４が形成されている（図２、図４を参照）。すなわち、上記の主排気通路Ｒ１とは別に、熱交換室６０内の燃焼排気がバイパス入口孔６５から熱交換室６０とケーシング５０との間の空間Ａを通ってバイパス出口孔７４から排気ダクト９内に流れ込むようになっており、この通路が副排気通路Ｒ２となっている。
このように、燃焼排気の排気通路を主排気通路Ｒ１と副排気通路Ｒ２の２つに分け、これら主排気通路Ｒ１と副排気通路Ｒ２を排気ダクト９で合流させて互いに干渉させる構成としている。
【００２１】
上記バイパス入口孔６５は、排気案内板６１を貫通形成した複数の貫通孔により構成されている。これらの貫通孔からなるバイパス入口孔６５は、熱交換室６０内の排気下流側にできるだけ配置することが好ましく、図２、図４に示すものでは、排気案内板６１の中間部６１０において屈曲した前部６１１の近傍に形成されている。これにより、潜熱熱交換器５１で熱交換されずにバイパス入口孔６５から流出する燃焼排気の割合を少なくすることができ、熱効率の低下を防ぐことができる。なお、上記バイパス入口孔６５は、排気案内板６１の前部６１１の傾斜面に形成するようにしてもよい。
【００２２】
一方、上記バイパス出口孔７４は、排気整流用上板７の傾斜板部７１の前端両角部を切り欠いて左右にそれぞれ形成されている。排気整流用上板７と排気整流用下板８とによる排気ダクト９の出口９１の横幅は、前板５０１の横幅寸法と略等しい大きさに設定されているのに対し、前板５０１に開設した排気口５３の横幅は、前板５０１の横幅寸法よりも短い大きさに設定されている（図３参照）。すなわち、排気口５３の横幅寸法は、排気ダクト９の出口９１の横幅寸法よりも短くなっている。そして、左右のバイパス出口孔７４は、排気整流用上板７の傾斜板部７１の左右端部からそれぞれ排気口５３に侵入しない範囲を切り欠いて形成され、排気口５３の左右両側の前板５０１部分に隠れる大きさの寸法に設定されている。なお、図３、図４に示すバイパス出口孔７４は、排気口５３の左右辺に達する長さに切り欠かれている。これにより、排気ダクト９内における各バイパス出口孔７４の前方には、排気口５３の左右両側の前板５０１が立ちはだかってカバー部分Ｋとなる。従って、バイパス出口孔７４から排気ダクト９内に流出される燃焼排気中にドレンが巻き込まれていても、ドレンは、排気口５３の左右両側の前板５０１の部分（カバー部分Ｋ）に当って落下されて排気口５３から飛散されることを防ぐことができる。
【００２３】
以上の構成を備える潜熱回収式給湯器１では、燃焼室３においてガスバーナ３１の燃焼により高温の燃焼排気が生成され、この燃焼排気は、上記給気ファン２によって一次熱交換室４、二次熱交換室５へ順に送り込まれる。すると、上記燃焼室３から燃焼排気が送り込まれた一次熱交換室４では、第一吸熱フィン群４２を介して第一吸熱管４３内を流れる低温水が燃焼排気から顕熱を吸収して熱交換加熱される。次いで、上記一次熱交換室４を通過した燃焼排気が二次熱交換室５の潜熱熱交換器５１に送り込まれると、第二吸熱管５２内を流れる水が燃焼排気中の水蒸気から潜熱を吸収して熱交換加熱される。そして、潜熱が吸収された後の燃焼排気は、排気トップ５４から器具外へ排出される。
【００２４】
ところで、上記二次熱交換室５においては、上述のように、排気出口６４に排気ダクト９を連通接続して熱交換室６０内の燃焼排気を排気出口６４から排気ダクト９へ送り込む主排気通路Ｒ１と、排気案内板６１にバイパス入口孔６５を設けるとともに排気ダクト９を構成する排気整流用上板７にバイパス出口孔７４を設け、熱交換室６０内の燃焼排気をバイパス入口孔６５から熱交換室６０とケーシング５０の間の空間Ａに導入してバイパス出口孔７４から排気ダクト９へ送り込む副排気通路Ｒ２とが形成されている。すなわち、排気通路が上記主排気通路Ｒ１と上記副排気通路Ｒ２とに２分割されるとともに、上記バイパス出口孔７４を設けた排気ダクト９の箇所が上記主排気通路Ｒ１と上記副排気通路Ｒ２との排気合流部として構成されている。
【００２５】
従って、排気入口６３を介して熱交換室６０内の後部に送り込まれた燃焼排気は、排気案内板６１に沿って前方へ流されて潜熱熱交換器５１を通過した後、排気案内板６１の前部６１１に沿って下方の排気出口６４へ誘導され、この排気出口６４を通って排気ダクト９内へ流れ込む。また同時に、潜熱熱交換器５１を通過して上方へ誘導された燃焼排気は、バイパス入口孔６５を通って熱交換室６０とケーシング５０の間の空間Ａに導かれて、ケーシング５０の天井板５０５及び前板５０１に沿って下方へ誘導され、排気整流用上板７に設けられたバイパス出口孔７４を通って排気ダクト９内へ流れ込む。
【００２６】
このように、二次熱交換室５では、燃焼排気の排気通路を主排気通路Ｒ１と副排気通路Ｒ２の２つの通路に分け、これら主排気通路Ｒ１と副排気通路Ｒ２を排気ダクト９で合流させる構成とし、これにより、主排気通路Ｒ１と副排気通路Ｒ２にそれぞれ分かれて伝わって来た騒音をバイパス出口孔７４を設けた排気ダクト９の排気合流部で互いに干渉させて打ち消し合わせることができる。すなわち、各排気通路Ｒ１，Ｒ２によって騒音の波長に位相差をもたせ、排気ダクト９の排気合流部で互いに騒音の波長を干渉させることにより騒音を打ち消し合わせる。従って、バーナ燃焼音、排気音等の音を打ち消し合わせて排気口５３から器具外に漏れる騒音を低減することができる。なお、実験機では、特に、低周波側（１００Ｈｚ）の騒音値を減少させるのに有効であった。
【００２７】
一方、上記潜熱熱交換器５１においては、燃焼排気から潜熱を吸収する際に燃焼排気中の水蒸気が凝縮されることにより強酸性のドレンが潜熱熱交換器５１上に生成される。このドレンのほとんどは、下方のドレン案内板６２上に滴下されてドレン案内板６２の傾斜に沿って前方へ流されて排気整流用下板８のスリット８３を通ってドレン受け部１１に集められ、ドレン排出管１２を介してドレン中和装置１３内に回収されて中和処理された後、器具外の下水へ排水される。
【００２８】
ところが、潜熱熱交換器５１上に付着等したドレンの一部が燃焼排気中に乗ってバイパス入口孔６５から熱交換室６０とケーシング５０の間の空間Ａ内に侵入する場合がある。また、バイパス入口孔６５から空間Ａ内に導入された燃焼排気が天井板５０５及び前板５０１で冷やされることによってこの空間Ａ内でドレンが生成される場合がある。このような場合でも、各バイパス出口孔７４の前方には、排気口５３の左右両側の前板５０１の部分が立ちはだかってカバー部分Ｋとなっているので、バイパス出口孔７４から排気ダクト９内に流出される燃焼排気中にドレンが巻き込まれていても、そのドレンは、排気口５３の左右両側の前板５０１部分（カバー部分Ｋ）に当って落下されて排気口５３から器具外へ飛散されることを防ぐことができる。
【００２９】
以上のことから、本実施形態による潜熱回収式給湯器１によれば、排気口５３からドレンを飛散させることなく外部に漏れる騒音を低減することができる。また、上記バイパス入口孔６５は、熱交換室６０の排気下流側にできるだけ配置するように排気案内板６１の屈曲した前部の手前に形成されているので、熱交換せずにバイパス入口孔６５から流出する燃焼排気の割合を少なくすることができ、熱効率を低下させることもない。
【００３０】
加えて、排気ダクト９を上り勾配に傾斜配設することにより、排気出口６４から伝わって来る騒音が、排気トップ５４の開放端から器具外に漏れることを抑制することができる。しかも、排気トップ５４の排気ダクト９に続く延長通路５５も上り勾配に傾斜させることによって、排気トップ５４の開放端までの燃焼排気の流れが一層スムーズになり、器具外に漏れる騒音がさらに抑制される。また、排気ダクト９は、上流端よりも下流端が狭くなるように排気整流用上板７と排気整流用下板８の傾斜角度が所定に設定されているので、器具外に騒音が漏れることを抑えることができる。さらには、排気口５３を排気ダクト９の出口９１よりも狭く形成することによっても器具外に騒音が漏れることが抑えられる。
【００３１】
また、排気整流用上板７の樋部７３内には排気案内板６１の前部６１１の下端が非接触状態に配置されている。従って、排気案内板６１の内面に付着したドレンは、排気案内板６１の前部６１１の下端から樋部７３内へ滴下され、樋部７３内に溜まる。よって、排気案内板６１の内面に付着したドレンが排気出口６４から排気ダクト９へ流れ込む燃焼排気に巻き込まれて器具外へ飛散することが防止される。
【００３２】
排気整流用上板７の幅方向の長さは、両端部にケーシング５０の左側板５０３と右側板５０４との間に僅かに隙間が形成される長さに設定されており、排気整流用下板８の幅方向の両端部は、左側板５０３と右側板５０４に密着する長さに設定されている。従って、樋部７３に溜まったドレンは、両端の隙間に達するとケーシング５０の左側板５０３、右側板５０４を伝って下方の排気整流用下板８上に流下される。
【００３３】
また、排気ダクト９を排気出口６４から上り勾配に傾斜して配置するので、排気ダクト９を構成する排気整流用下板８が排気出口６４から排気ダクト９へ流れ込む燃焼排気に対して立ちはだかった状態となる。従って、排気出口６４から排気ダクト９へ流れ込む燃焼排気中にドレンが巻き込まれていても、そのドレンは、排気整流用下板８によって落下され、排気口５３から飛散することを防止することができる。しかも、排気口５３から排気トップ５４の延長通路５５が延長されていることから、器具外へドレンが飛散するのを一層確実に防止することができる。
【００３４】
そして、排気整流用下板８は、第一傾斜板部８２が下り勾配に形成されるとともに第二傾斜板部８１が上り勾配に形成され、第一傾斜板部８２の前端に複数のスリット８３が形成されている。従って、排気整流用下板８上に流れ込んだドレンは、スリット８３を介してドレン受け部１１内に流されることとなる。このようにして、熱交換室６０内で生成されるドレンは、ドレン受け部１１に集められ、排気口５３から器具外へ飛散されることが防止される。
【００３５】
なお、本発明は、上記実施形態のみに限定されず、本発明の範囲内で種々の設計変更を施すことが可能である。
例えば、図５に示すように、上記バイパス出口孔７４は、排気整流用上板７の左右端部をそれぞれ切り欠いて形成するとともに、その切欠き片を前板５０１側に垂設させてカバー部分Ｋ’を構成するようにしてもよい。
【図面の簡単な説明】
【００３６】
【図１】実施の形態による潜熱回収式給湯器の全体構成を示す断面図である。
【図２】実施の形態による潜熱回収式給湯器における二次熱交換室の部分を拡大して示す拡大断面図である。
【図３】実施の形態による潜熱回収式給湯器における二次熱交換室の部分を示す正面図である。
【図４】実施の形態による潜熱回収式給湯器における二次熱交換室の内部構成を模式的に示す斜視図である。
【図５】他の実施の形態による潜熱回収式給湯器における二次熱交換室の内部構成を模式的に示す斜視図である。
【図６】騒音対策が講じられた従来の給湯器の構成を示す断面図である。
【図７】他の騒音対策が講じられた従来の給湯器の構成を示す断面図である。
【符号の説明】
【００３７】
１  潜熱回収式給湯器（熱源機）
４  一次熱交換室
５  二次熱交換室
７  排気整流用上板
８  排気整流用下板
９  排気ダクト
４１  顕熱熱交換器
５０  ケーシング
５１  潜熱熱交換器
５３  排気口
６０  熱交換室
６１  排気案内板
６２  ドレン案内板
６３  排気入口
６４  排気出口
６５  バイパス入口孔
７１  傾斜板部
７４  バイパス出口孔
５０１  前板
Ａ  空間
Ｋ  カバー部分
Ｒ１  主排気通路
Ｒ２  副排気通路
【図１】
0005061009.tif 000002
【図２】
0005061009.tif 000003
【図３】
0005061009.tif 000004
【図４】
0005061009.tif 000005
【図５】
0005061009.tif 000006
【図６】
0005061009.tif 000007
【図７】
0005061009.tif 000008